(57)【要約】      （修正有）【課題】トレイの材料にかかわらず、簡単にトレイから分離できるようにする。【解決手段】物品が載置されるトレイ２０にカバーとして被せ、トレイに固定して物品を梱包状態とし、開梱時にトレイから分離して除去するトレイカバー箱１０において、トレイに載置した物品の上方に位置する天板１と、物品の両側に沿う一対の側板２と、各側板の下端にそれぞれ連設された底フラップ３ａ，３ｂと、側板の側端から延びる端フラップ５とを備え、一方の側板に繋がる底フラップの側端に底端片６を連設し、この側板に繋がる端フラップに切目線７ａ，７ｂを入れて切取部８を形成する。物品の梱包時には、底端片を有する底フラップが下方となるように重ね合わせた底フラップでトレイの底面を受け止め、底端片を切取部に貼り付ける。開梱時には、底端片に貼り付いた切取部を切り取り、底フラップによるトレイの受け止めを解除する。【選択図】図３
2015003749.tif 000002
【特許請求の範囲】
【請求項１】
物品が載置されるトレイ(20)にカバーとして被せ、トレイ(20)に固定して物品を梱包状態とし、開梱時にトレイ(20)から分離して除去するトレイカバー箱(10)において、トレイ(20)に載置した物品の上方に位置する天板(1)と、物品の両側に沿う一対の側板(2)と、各側板(2)の下端にそれぞれ連設された底フラップ(3a,3b)と、側板(2)の側端から延びる端フラップ(5)とを備え、一方の側板(2)に繋がる底フラップ(3a)の側端に底端片(6)を連設し、この側板(2)に繋がる端フラップ(5)に切目線(7a,7b)を入れて切取部(8)を形成し、物品の梱包時には、底端片(6)を有する底フラップ(3a)が下方となるように底フラップ(3a,3b)を重ね合わせ、底フラップ(3a,3b)でトレイ(20)の底面を受け止めて、底フラップ(3a)から折り曲げた底端片(6)を切取部(8)に貼り付け、開梱時には、切目線(7a,7b)を切断して、底端片(6)に貼り付いた切取部(8)を端フラップ(5)から切り取り、底フラップ(3a,3b)によるトレイ(20)の受け止めを解除することを特徴とするトレイカバー箱。
【発明の詳細な説明】
【技術分野】
【０００１】
この発明は、物品の梱包時にトレイに被せ、店頭における物品の陳列に際し、トレイから取り外すトレイカバー箱に関するものである。
【背景技術】
【０００２】
従来、下記特許文献１には、図５に示すように、段ボール等の厚紙を材料とするトレイ５１及びカバー５２とから成り、物品梱包時に、物品を載置したトレイ５１にカバー５２を被せて固定し、店頭における開梱時に、トレイ５１からカバー５２を分離して除去し、トレイ５１から物品を露出させて陳列する包装陳列兼用箱が記載されている。
【０００３】
トレイ５１は、四角筒状の周壁の各面を形成する側板５３と、その下端から延びて噛合により底面を閉止する底板５４とを備え、３方の側板５３に切目線を入れて分離部５５を形成したものとされている。
【０００４】
また、カバー５２は、四角筒状の周壁の各面を形成する側板５６と、その上端から延びる天板５７とを備え、３方の側板５６に切目線を入れて揺動片部５８を形成したものとされている。
【０００５】
この包装陳列兼用箱では、物品の梱包に際し、トレイ５１にカバー５２を被せ、分離部５５と揺動片部５８とを接着し、天板５７を折り曲げて天面を閉止する。そして、開梱時には、カバー５２の揺動片５８を切り起こして、その裏面に貼り付いた分離部５５をトレイ５１の側板５３から切断し、トレイ５１からカバー５２を分離して上方へ引き抜き、トレイ５１に載った物品を露出させる。
【先行技術文献】
【特許文献】
【０００６】
【特許文献１】登録実用新案第３１６７８８２号公報
【発明の概要】
【発明が解決しようとする課題】
【０００７】
しかしながら、例えば、トレイとしてプラスチックの成形品を使用する場合、カバーに接着されたトレイの分離部を、開梱時に切断することが困難となるため、上記包装陳列兼用箱のような構成を採用することはできない。
【０００８】
そこで、この発明は、トレイの材料にかかわらず、簡単にトレイから分離できるカバー箱を提供することを課題とする。
【課題を解決するための手段】
【０００９】
上記課題を解決するため、この発明は、物品が載置されるトレイにカバーとして被せ、トレイに固定して物品を梱包状態とし、開梱時にトレイから分離して除去するトレイカバー箱において、トレイに載置した物品の上方に位置する天板と、物品の両側に沿う一対の側板と、各側板の下端にそれぞれ連設された底フラップと、側板の側端から延びる端フラップとを備え、一方の側板に繋がる底フラップの側端に底端片を連設し、この側板に繋がる端フラップに切目線を入れて切取部を形成し、物品の梱包時には、底端片を有する底フラップが下方となるように底フラップを重ね合わせ、底フラップでトレイの底面を受け止めて、底フラップから折り曲げた底端片を切取部に貼り付け、開梱時には、切目線を切断して、底端片に貼り付いた切取部を端フラップから切り取り、底フラップによるトレイの受け止めを解除することとしたのである。
【発明の効果】
【００１０】
この発明に係るトレイカバー箱では、物品の梱包時に、トレイに接着しなくても、トレイの底面を底フラップで受け止めて、トレイの脱落を防止することができる。
【００１１】
そして、開梱に際し、底端片に貼り付いた切取部を端フラップから切り取って、全体をトレイから引き上げるだけで、トレイと物品の自重により底フラップが開き、トレイとの接着部分を切断したりすることなく、底フラップによるトレイの受け止めを解除できるので、トレイの材料にかかわらず、簡単にトレイから分離し、トレイに載った物品を陳列することができる。
【図面の簡単な説明】
【００１２】
【図１】この発明に係るトレイカバー箱による物品梱包状態を示す斜視図
【図２】同上の開梱過程を示す斜視図
【図３】同上のトレイからの分離過程を示す斜視図
【図４】同上のブランクを示す図
【図５】従来の包装陳列兼用箱の梱包過程を示す斜視図
【発明を実施するための形態】
【００１３】
図１に示すように、このトレイカバー箱１０は、歯磨き粉等のチューブ商品Ｔの物流過程において、チューブ商品Ｔを載置したプラスチック成形品のトレイ２０に被せる段ボール製のものである。
【００１４】
図４に示すように、このトレイカバー箱１０のブランクでは、長方形状の天板１の一対の長さ方向の一方の端辺に、側板２及び底フラップ３ａが順次連設され、長さ方向の他方の端辺に、側板２及び底フラップ３ｂが順次連設されている。
【００１５】
底フラップ３ａ，３ｂの側板２からの長さ寸法は、底フラップ３ａが天板１の幅方向の寸法の略１／２となっており、底フラップ３ｂがこれよりも長くなっている。
【００１６】
天板１の他対の幅方向の端辺には、天端片４が連設され、両方の側板２の両側端には、それぞれ端フラップ５が連設されている。また、一方の側板２に繋がる底フラップ３ａの両側端には、底端片６が連設されている。
【００１７】
端フラップ５の側板２からの長さ寸法は、天板１の幅方向の寸法の略１／２となっており、材料の使用効率を考慮して、天端片４及び底端片６の先端は、端フラップ５の先端に揃っている。
【００１８】
一方の側板２に繋がる端フラップ５には、先端側と側板２との境界間に亘る切目線７ａと、側板２との境界に沿った切目線７ｂとを入れて、これにより区画された切取部８が形成されている。切目線７ａ，７ｂは、鉤状の切目が断続するジッパ型のものとされている。また、切目線７ａの中間部に臨む切込間に、押込片９が形成されている。
【００１９】
このようなブランクからトレイカバー箱１０を組み立てて、図１に示すように、チューブ商品Ｔを梱包する際には、トレイ２０に載置されたチューブ商品Ｔの上方に天板１を位置させ、天板１から両側板２を下方へ折り曲げ、各側板２から底フラップ３ｂ、３ａをトレイ２０の底面を受け止めるように順次折り曲げる。
【００２０】
次に、各側板２から端フラップ５を突合する方向へ折り曲げ、天板１から天端片４を下方へ折り曲げ、突き合わされた端フラップ５に跨ってその上部に天端片４を貼り付けることにより、端フラップ５同士を連結する。
【００２１】
また、底フラップ３ａから底端片６を上方へ折り曲げて切取部８に貼り付けることにより、底フラップ３ａ，３ｂを閉じた状態に固定する。
【００２２】
一方、このように梱包したチューブ商品Ｔを店頭で陳列する際には、押込片９を押し込み、これに伴い生じた隙間に指を入れて、図２に示すように、切取部８を底端片６と共に外側へ引き出し、切目線７ａ，７ｂを切断して、底端片６に貼り付いた切取部８を端フラップ５から切り取る。
【００２３】
そして、図３に示すように、トレイ２０からトレイカバー箱１０を引き上げると、トレイ２０とこれに載ったチューブ商品Ｔの自重により、両方の底フラップ３ａ，３ｂが開いて、底フラップ３ａ，３ｂによるトレイ２０の受け止めが解除され、トレイカバー箱１０の底面からトレイ２０が抜け出し、トレイ２０に載ったチューブ商品Ｔが露出する。
【００２４】
上記のようなトレイカバー箱１０では、チューブ商品Ｔ等の物品の梱包時に、物品が載ったトレイ２０の底面を底フラップ３ａ，３ｂで受け止めるので、トレイ２０に接着しなくても、運搬時におけるトレイ２０の脱落を防止することができる。
【００２５】
さらに、それ自体に荷重に対する強度があるため、物流過程において、外装箱に収納しなくても、多数個積み上げて輸送し、保管しておくことができる。
【００２６】
そして、店頭における開梱に際し、底端片６に貼り付いた状態のまま、切取部８を端フラップ５から切り取って、全体をトレイ２０から引き上げるだけで、トレイ２０との接着部分を切断したりすることなく、底フラップ３ａ，３ｂによるトレイ２０の受け止めを解除できるので、トレイ２０の材料にかかわらず、簡単にトレイ２０から分離して、トレイ２０に載った物品を陳列することができる。
【００２７】
なお、上記実施形態では、天面が一枚の天板１から成り、これに一対の側板２が連設され、各側板２の側端から端フラップ５が延びる形式のものを例示したが、各一対の側板２及び端フラップ５を連設し、その一端の継代片を他端部に貼り付けて周壁を形成し、各一対の側板２及び端フラップ５の少なくともいずれかの上端から天板１を延出すると共に、他のものの上端から内フラップを延出し、内フラップに天板１を重ねて天面を閉じるいわゆる天Ａ式又は天Ｂ式のものとしてもよい。
【００２８】
また、底フラップ３ａとして、側板２の全幅に及んでトレイ２０を受け止めるものを例示したが、底フラップ３ａは、側板２の両端部のみから延出され、トレイ２０の底面の隅部のみを受け止めるコーナー片としてもよい。
【００２９】
さらに、底フラップ３ｂとして、先端側が全幅に亘って底フラップ３ａに重なるものを例示したが、底フラップ３ｂは、底フラップ３ａに支持される形状であれば、先端中間部に凹部を有するもの等、部分的に底フラップ３ａに重ならない形状であってもよい。
【００３０】
また、切取部８として、端フラップ５において、その上端の切目線７ａから切断するものを例示したが、切取部８は、側板２に回り込むように切目線を入れて形成し、底端片６と底フラップ３ａとの境界付近にも切目線を入れて、開梱時に、側板２から切取部８を切断し、底端片６と共に切り取るようにしてもよい。
【００３１】
さらに、開梱時の便宜のため、切取部８を有する端フラップ５に押込片９を形成したものを例示したが、押込片９を省略し、これに代えて、切目線７ａに臨む位置に、指入用の穴を形成してもよい。
【００３２】
そのほか、トレイ２０として、プラスチック成形品を例示しているが、トレイ２０は、段ボール等の紙製のほか、木製や竹かごのようなものであってもよい。
【符号の説明】
【００３３】
１  天板
２  側板
３ａ，３ｂ  底フラップ
４  天端片
５  端フラップ
６  底端片
７ａ，７ｂ  切目線
８  切取部
９  押込片
１０  トレイカバー箱
２０  トレイ
Ｔ  チューブ商品
【図１】
2015003749.tif 000003
【図２】
2015003749.tif 000004
【図３】
2015003749.tif 000005
【図４】
2015003749.tif 000006
【図５】
2015003749.tif 000007